(57)【要約】      （修正有）【課題】柱に対する外力の負荷がアンカーボルトに集中することなく、総じて耐久的な接合装置を提供する。【解決手段】基片１ａと接続片１ｂで成る接合基枠１を、前記基片１ａを貫通させたアンカーボルト２の先端にナット５を螺合して基礎コンクリート６上に立設する。また、接合基枠１の接続片１ｂを基礎コンクリート６上の土台７に設けた組付孔８に係合する。そして、柱９の下面に突設したほぞ枠１１と前記接続片１ｂを土台７に嵌挿した接続杆１３で止着する。【選択図】図１
2007162386.tif 000002
【特許請求の範囲】
【請求項１】
基片と接続片とで成る接合基枠を、前記基片を貫通させたアンカーボルトの先端にナットを螺合して基礎コンクリート上に立設し、該接合基枠の前記接続片を前記基礎コンクリート上に載置した土台に縦設した組付孔に係合すると共に、柱に止着して柱下面より突出させたほぞ枠を前記接続片の内側に嵌挿し、該ほぞ枠と前記接続片を前記土台に嵌挿した接続杆で互いに止着した、柱と土台の接合装置。
【発明の詳細な説明】
【技術分野】
【０００１】
本発明は、木造建物に適用する柱と土台の接合装置に関するものである。
【背景技術】
【０００２】
基礎コンクリートに立設したアンカーボルトを、前記基礎コンクリート上に載置した土台と該土台上に重ね合わせた接合板を貫通させ、接合板より突出する該アンカーボルトの先端にナットを螺合して前記土台と接合板を前記基礎コンクリートに締め付けると共に、前記接合板を柱の下面に設けたスリットに嵌挿し、該接合板と前記柱を、柱の側面から打ち込んだ止着杆（ドリフトピン）で互いに接続した構造のものがある（例えば、特許文献１）。
【０００３】
【特許文献１】特開平８−１８４０６２号公報
【発明の開示】
【発明が解決しようとする課題】
【０００４】
前記従来構造のものは、柱の軸線位置に配したアンカーボルトを利用して柱と土台を基礎コンクリートに接合するという意味合いでは、強度的に優れた接合装置を構成するものであるが、柱に負荷される外力は、結局のところ、アンカーボルトに集中する構成を採るため、耐久的に問題がある。
【０００５】
本発明は、従来例の斯様な欠点に着目し、柱に対する外力の負荷がアンカーボルトに集中することなく、総じて耐久的な接合装置を提供することを目的として創案したものである。
【課題を解決するための手段】
【０００６】
基片と接続片とで成る接合基枠を、前記基片を貫通させたアンカーボルトの先端にナットを螺合して基礎コンクリート上に立設し、該接合基枠の前記接続片を前記基礎コンクリート上に載置した土台に縦設した組付孔に係合すると共に、柱に止着して柱下面より突出させたほぞ枠を前記接続片の内側に嵌挿し、該ほぞ枠と前記接続片を前記土台に嵌挿した接続杆で互いに止着した、構成とするのである。
【発明の効果】
【０００７】
本発明によれば、柱の直下に存するアンカーボルトを利用して柱と土台が接合され、該柱と土台を基礎コンクリートにいわば直接的に組付ける構成を採るから、極めて強固な接合装置を提供できる。
【実施例】
【０００８】
図面は本発明に係る柱と土台の接合装置の実施例を示し、実施例は、基片１ａと接続片１ｂとで成る断面コ字形の接合基枠１を、基片１ａを貫通させたアンカーボルト２の先端に、座板３およびワッシャー４を介してナット５を螺合、締付けて、前記アンカーボルト２を立設した基礎コンクリート６上に固着し、該接合基枠１の、基礎コンクリート６上に起立する前記接続片１ｂを基礎コンクリート６上に載置した土台７に縦設した組付孔８に係合し、柱９下面に縦設した十字状のスリット１０に十字状の嵌挿枠１１ａを係合させて固定杆１２で柱９に止着した接合金具１１の柱９下面より突出するほぞ枠１１ｂを、前記接続片１ｂの内側に嵌挿し、該ほぞ枠１１ｂと接続片１ｂを前記土台７に嵌挿した接続杆１３で互いに止着して構成したものである。
【０００９】
第一実施例
図１乃至図４は第一実施例を示し、図１は一部欠截正面図、図２は図１の縦断面図、図３は接合金具の平面図、図４は接合基枠の平面図である。
【００１０】
この第一実施例の接合基枠１は、基片１ａと成るリング状の金属片と接続片１ｂと成る円筒状（角筒状でも良い）の金属筒を互いに熔接した有底円筒体で成り、基片１ａの中央に基礎コンクリート６上に立設したアンカーボルト２の先端を貫通させる透孔１４を設ける一方、筒体で成る前記接続片１ｂには、土台７に設けた前記接続杆１３（所謂ドリフトピンで構成してある）の、上下一対の通し孔１５，１５に一致する連通孔１６，１６を設けて構成したものである。
【００１１】
この接合基枠１は、前記の通り、アンカーボルト２とこれに螺合したナット５によって締付けて、基礎コンクリート６上に立設し、土台７に設けた円い（接続片１ｂが角筒ならば方形の）組付孔８に円筒状の接続片１ｂを一致させて嵌挿するようにして土台７と組合わせ、基礎コンクリート６上に載置した土台７の通し孔１５を通じて前記連通孔１６と、接続片１ｂ内に係合した前記ほぞ枠１１ｂに設けた透孔１７に前記接続杆１３を嵌挿して土台７とほぞ枠１１ｂと互いに接続（止着）したものである。
【００１２】
前記ほぞ枠１１ｂと嵌挿枠１１ａを備えた、第一実施例の接合金具１１は、円板状の基片１１ｃの上面に、等間隔を存して四方に放射状に配した４枚の部片１１ａ´，１１ａ´，１１ａ´，１１ａ´で成る嵌挿枠１１ａを立設し、下面に中央部片１１ｂ´の両側に相対設した側部片１１ｂ´´，１１ｂ´´で成るほぞ枠１１ｂを吊設して構成したもので（基部片１１ｃに対し嵌挿枠１１ａとほぞ枠１１ｂは熔接してある）、嵌挿枠１１ａの各部片１１ａ´には柱９に設けた通し孔１８と一致するようにして前記固定杆１２の嵌挿孔１９を設け、また、ほぞ枠１１ｂの側部片１１ｂ´´には土台７側の通し孔１５等と一致する前記透孔１７を設けたものである。
【００１３】
この接合金具１１は、柱９の下面を４つに分割するようにして設けた十字状のスリット１０に嵌挿枠１１ａを嵌挿し、互いに一致する柱９側の通し孔１８と嵌挿枠１１ａ側の嵌挿孔１９に固定杆１２を嵌装して柱９に止着し、ほぞ枠１１ｂ部を柱９下面より突出させてこれを接合基枠１側と組合わせて前記の通り、土台７と接合、止着したものである。
【００１４】
第二実施例
第二実施例は、図５乃至図８で示し、図５は一部欠截正面図、図６は図５の縦断面図、図７は接合金具の平面図、図８は接合基枠の平面図である。
【００１５】
この第二実施例は、接合基枠１を基片１ａの両側に一対の接続片１ｂ，１ｂを相対して立設したコの字形の枠体で構成し、該枠体内すなわち接合基枠１の接続片１ｂの内側に第一実施例と同様にして柱９下面に突設したほぞ枠１１ｂを嵌め込み、第一実施例と同様に接続杆１３を用いてこれらを互いに接続、止着して構成したもので、接合金具１１は第一実施例でいう基部片１１ｃを省略し、嵌挿枠１１ａとほぞ枠１１ｂを直接熔接して構成したものである。
【００１６】
残余の点は、第一実施例と同符号で示す通り同様なので説明を省略する。なお、組付孔８は接合基枠１の形状に合わせて断面方形にしてある。
【図面の簡単な説明】
【００１７】
【図１】一部欠截正面図。
【図２】図１の縦断面図。
【図３】接合金具の平面図。
【図４】接合基枠の平面図。
【図５】第二実施例の一部欠截正面図。
【図６】図５の縦断面図。
【図７】第二実施例の接合金具の平面図。
【図８】第二実施例の接合基枠の平面図。
【符号の説明】
【００１８】
１      基枠
１ａ    基片
１ｂ    接続片
２      アンカーボルト
５      ナット
６      基礎コンクリート
７      土台
８      組付孔
９      柱
１１    ほぞ枠
１３    接続杆
【図１】
2007162386.tif 000003
【図２】
2007162386.tif 000004
【図３】
2007162386.tif 000005
【図４】
2007162386.tif 000006
【図５】
2007162386.tif 000007
【図６】
2007162386.tif 000008
【図７】
2007162386.tif 000009
【図８】
2007162386.tif 000010